【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
通信フレームに取り付けられる通信シャーシを有し、
通信シャーシが、
シャーシにスライド可能にそれぞれ取り付けられ、垂直にスタックされ、且つ、それぞれが閉蔵位置と自由アクセス位置との間でスライド移動可能な複数の光ファイバトレイを含み、
各光ファイバトレイが、
光ファイバアダプタによって構成され、通信フレームを経由するケーブルを接続するための光ファイバ接続箇所と、
第１の端で光ファイバトレイに連結され、且つ、第２の端で通信シャーシに連結されるケーブル管理部と、を含み、
ケーブル管理部が、光ファイバ接続箇所に向かうケーブルおよび光ファイバ接続箇所からのケーブルを管理するように構成され、
ケーブル管理部が、複数のリンクアームによって構成され、
複数のリンクアームが、リンクアームが互いに対して旋回してトレイの移動に対応してケーブル管理部が引っ込むおよび伸展するように、旋回可能に互いに接続し、
複数のリンクアームが、トレイの移動中にその管理するケーブルが所定値に比べて小さい曲率半径の円弧状に曲がらないように、互いに対して旋回するように構成され、
各リンクアームが、上壁、底壁、および対向し合う２つの側壁を備え、
各リンクアームが、その内部にケーブルを受け入れるための、少なくとも一方の側壁に沿う開口部と上壁に沿う開口部とを備え、
上壁に沿う開口部と少なくとも一方の側壁に沿う開口部とがつながり合い、
各光ファイバアダプタが、アダプタに挿入された光ファイバコネクタと電気的に接続するように構成された電気的接点を含み、
電気的接点が、シャーシに搭載されたコントローラにつながれ、
シャーシに搭載されたコントローラが、通信フレームに搭載されたコントローラと電気的に通信するように構成されている、光ファイバ通信デバイス。
【請求項２】
少なくとも２つの旋回可能に接続されたリンクアームが、それらの間に、相互に離間するようにリンクアームを付勢する圧縮ばねを含んでいる、請求項１に記載の光ファイバ通信デバイス。
【請求項３】
シャーシが、垂直にスタックされた状態の３個のスライド可能な光ファイバトレイを含み、
シャーシが、１ＲＵの標準的な通信ラックスペースを占有する、請求項１に記載の光ファイバ通信デバイス。
【請求項４】
シャーシが、シャーシの右側で垂直にスタックされた状態の３個のスライド可能な光ファイバトレイと、シャーシの左側で垂直にスタックされた状態の３個のスライド可能な光ファイバトレイとを含み、
シャーシが、１ＲＵの標準的な通信ラックスペースを占有する、請求項３に記載の光ファイバ通信デバイス。
【請求項５】
シャーシが、垂直にスタックされた状態の１２個のスライド可能な光ファイバトレイを含み、
シャーシが、４ＲＵの標準的な通信ラックスペースを占有する、請求項１に記載の光ファイバ通信デバイス。
【請求項６】
シャーシが、シャーシの右側で垂直にスタックされた状態の１２個のスライド可能な光ファイバトレイと、シャーシの左側で垂直にスタックされた状態の１２個のスライド可能な光ファイバトレイとを含み、
シャーシが、４ＲＵの標準的な通信ラックスペースを占有する、請求項５に記載の光ファイバ通信デバイス。
【請求項７】
光ファイバアダプタが、スナップ係合式のインターロックでトレイに取り付けられている、請求項１に記載の光ファイバ通信デバイス。
【請求項８】
光ファイバアダプタが、ＬＣ型アダプタである、請求項１に記載の光ファイバ通信デバイス。
【請求項９】
ケーブル管理部が、旋回可能に互いに接続された５個のリンクアームを含む、請求項１に記載の光ファイバ通信デバイス。
【請求項１０】
複数の光ファイバトレイが、フレキシブルレバーを介して通信シャーシから取り外し可能である、請求項１に記載の光ファイバ通信デバイス。
【請求項１１】
各トレイが、ギヤ機構を含むスライドアセンブリを介してシャーシに取り付けられている、請求項１に記載の光ファイバ通信デバイス。
【請求項１２】
スライドアセンブリが、トレイの前後に移動するにつれて曲がるフレキシブルプリント回路基板を収容し、
フレキシブルプリント回路基板が、トレイの光ファイバ接続箇所からの情報をシャーシの他の部分に送信するように構成されている、請求項１１に記載の光ファイバ通信デバイス。
【請求項１３】
フレキシブルプリント回路基板が、トレイの光ファイバ接続箇所からの情報をシャーシの中央プリント回路基板に送信し、
フレキシブルプリント回路基板から中央プリント回路基板までの接続が、スライドアセンブリ内に取り外し可能に取り付けられている取り外し可能マイクロプリント回路基板を介して行われている、請求項１２に記載の光ファイバ通信デバイス。
【請求項１４】
マイクロプリント回路基板が、特定のトレイを識別するための少なくとも１つの発光ダイオードを含んでいる、請求項１３に記載の光ファイバ通信デバイス。
【請求項１５】
複数のリンクアームが、それらの間の旋回挙動を制限するように互いに対して旋回可能に連結し、
少なくともいくつかのリンクアームが、それらの間で旋回挙動を実現する、第１のオス型端上の円筒状タブと対向する第２のメス型端上の円筒状穴とによって構成されるスナップ係合連結部を含んでいる、請求項１に記載の光ファイバ通信デバイス。
【請求項１６】
シャーシが、シャーシにスライド可能に取り付けられた複数の光ファイバトレイへのアクセスを許可するおよび制限する、ばね式のラッチ機構を備える少なくとも１つの旋回ドアを含んでいる、請求項１に記載の光ファイバ通信デバイス。
【請求項１７】
複数の通信シャーシを取り付けるための通信ラックを有し、
通信シャーシが、
シャーシにスライド可能にそれぞれ取り付けられ、垂直にスタックされ、且つ、それぞれが閉蔵位置と自由アクセス位置との間でスライド移動可能な複数の光ファイバトレイを含み、
各光ファイバトレイが、
光ファイバアダプタによって構成され、通信フレームを経由するケーブルを接続するための光ファイバ接続箇所と、
第１の端で光ファイバトレイに連結され、且つ、第２の端で通信シャーシに連結されるケーブル管理部と、を含み、
ケーブル管理部が、光ファイバ接続箇所に向かうケーブルおよび光ファイバ接続箇所からのケーブルを管理するように構成され、
ケーブル管理部が、複数のリンクアームによって構成され、
複数のリンクアームが、リンクアームが互いに対して旋回してトレイの移動に対応してケーブル管理部が引っ込むおよび伸展するように、旋回可能に互いに接続し、
複数のリンクアームが、トレイの移動中にその管理するケーブルが所定値に比べて小さい曲率半径の円弧状に曲がらないように、互いに対して旋回するように構成され、
各リンクアームが、上壁、底壁、および対向し合う２つの側壁を備え、
各リンクアームが、その内部にケーブルを受け入れるための、少なくとも一方の側壁に沿う開口部と上壁に沿う開口部とを備え、
上壁に沿う開口部と少なくとも一方の側壁に沿う開口部とがつながり合い、
各光ファイバアダプタが、アダプタに挿入された光ファイバコネクタと電気的に接続するように構成された電気的接点を含み、
電気的接点が、シャーシに搭載されたコントローラにつながれ、
シャーシに搭載されたコントローラが、通信フレームに搭載されたコントローラと電気的に通信するように構成されている、光ファイバ通信デバイス。
【請求項１８】
少なくとも２つの旋回可能に接続されたリンクアームが、それらの間に、相互に離間するようにリンクアームを付勢する圧縮ばねを含んでいる、請求項１７に記載の光ファイバ通信デバイス。
【請求項１９】
シャーシが、垂直にスタックされた状態の３個のスライド可能な光ファイバトレイを含み、
シャーシが、１ＲＵの標準的な通信ラックスペースを占有する、請求項１７に記載の光ファイバ通信デバイス。
【請求項２０】
シャーシが、シャーシの右側で垂直にスタックされた状態の３個のスライド可能な光ファイバトレイと、シャーシの左側で垂直にスタックされた状態の３個のスライド可能な光ファイバトレイとを含み、
シャーシが、１ＲＵの標準的な通信ラックスペースを占有する、請求項１９に記載の光ファイバ通信デバイス。
【請求項２１】
シャーシが、垂直にスタックされた状態の１２個のスライド可能な光ファイバトレイを含み、
シャーシが、４ＲＵの標準的な通信ラックスペースを占有する、請求項１７に記載の光ファイバ通信デバイス。
【請求項２２】
シャーシが、シャーシの右側で垂直にスタックされた状態の１２個のスライド可能な光ファイバトレイと、シャーシの左側で垂直にスタックされた状態の１２個のスライド可能な光ファイバトレイとを含み、
シャーシが、４ＲＵの標準的な通信ラックスペースを占有する、請求項２１に記載の光ファイバ通信デバイス。
【請求項２３】
光ファイバアダプタが、スナップ係合式のインターロックでトレイに取り付けられている、請求項１７に記載の光ファイバ通信デバイス。
【請求項２４】
光ファイバアダプタが、ＬＣ型アダプタである、請求項１７に記載の光ファイバ通信デバイス。
【請求項２５】
ケーブル管理部が、旋回可能に互いに接続された５個のリンクアームを含む、請求項１７に記載の光ファイバ通信デバイス。
【請求項２６】
複数の光ファイバトレイが、フレキシブルレバーを介して通信シャーシから取り外し可能である、請求項１７に記載の光ファイバ通信デバイス。
【請求項２７】
各トレイが、ギヤ機構を含むスライドアセンブリを介してシャーシに取り付けられている、請求項１７に記載の光ファイバ通信デバイス。
【請求項２８】
スライドアセンブリが、トレイの前後に移動するにつれて曲がるフレキシブルプリント回路基板を収容し、
フレキシブルプリント回路基板が、トレイの光ファイバ接続箇所からの情報をシャーシの他の部分に送信するように構成されている、請求項２７に記載の光ファイバ通信デバイス。
【請求項２９】
フレキシブルプリント回路基板が、トレイの光ファイバ接続箇所からの情報をシャーシの中央プリント回路基板に送信し、
フレキシブルプリント回路基板から中央プリント回路基板までの接続が、スライドアセンブリ内に取り外し可能に取り付けられている取り外し可能マイクロプリント回路基板を介して行われている、請求項２８に記載の光ファイバ通信デバイス。
【請求項３０】
マイクロプリント回路基板が、特定のトレイを識別するための少なくとも１つの発光ダイオードを含んでいる、請求項２９に記載の光ファイバ通信デバイス。
【請求項３１】
複数のリンクアームが、それらの間の旋回挙動を制限するように互いに対して旋回可能に連結し、
少なくともいくつかのリンクアームが、それらの間で旋回挙動を実現する、第１のオス型端上の円筒状タブと対向する第２のメス型端上の円筒状穴とによって構成されるスナップ係合連結部を含んでいる、請求項１７に記載の光ファイバ通信デバイス。
【請求項３２】
シャーシが、シャーシにスライド可能に取り付けられた複数の光ファイバトレイへのアクセスを許可するおよび制限する、ばね式のラッチ機構を備える少なくとも１つの旋回ドアを含んでいる、請求項１７に記載の光ファイバ通信デバイス。
【請求項３３】
光ファイバ通信トレイであって、
トレイをスライド可能に通信構造物に取り付けるための第１および第２のスライド部と、
第１および第２のスライド部の間に配置された接続部と、
トレイの接続部によって構成され、ケーブルを接続するための、光ファイバ接続箇所と、
第１の端で光ファイバトレイに連結し、トレイを受け入れる通信構造物に連結する第２の端を備えるケーブル管理部と、を有し、
ケーブル管理部が、光ファイバ接続箇所に向かうケーブルおよび光ファイバ接続箇所からのケーブルを管理するように構成され、
ケーブル管理部が、複数のリンクアームによって構成され、
複数のリンクアームが、リンクアームが互いに対して旋回してトレイの移動に対応してケーブル管理部が引っ込むおよび伸展するように、旋回可能に互いに接続し、
複数のリンクアームが、トレイの移動中にその管理するケーブルが所定値に比べて小さい曲率半径の円弧状に曲がらないように、互いに対して旋回するように構成され、
各リンクアームが、上壁、底壁、および対向し合う２つの側壁を備え、
各リンクアームが、その内部にケーブルを受け入れるための、少なくとも一方の側壁に沿う開口部と上壁に沿う開口部とを備え、
上壁に沿う開口部と少なくとも一方の側壁に沿う開口部とがつながり合い、
少なくとも２つの旋回可能に接続されたリンクアームが、それらの間に、相互に離間するようにリンクアームを付勢する圧縮ばねを含んでいる、光ファイバ通信トレイ。
【請求項３４】
接続箇所が、光ファイバアダプタによって構成されている、請求項３３に記載の光ファイバ通信トレイ。
【請求項３５】
光ファイバアダプタが、スナップ係合式のインターロックでトレイに取り付けられている、請求項３４に記載の光ファイバ通信トレイ。
【請求項３６】
光ファイバアダプタが、ＬＣ型アダプタである、請求項３４に記載の光ファイバ通信トレイ。
【請求項３７】
ケーブル管理部が、旋回可能に互いに接続された５個のリンクアームを含む、請求項３４に記載の光ファイバ通信トレイ。
【請求項３８】
通信フレームに取り付けられる通信シャーシを有し、
通信シャーシが、
シャーシにスライド可能にそれぞれ取り付けられ、垂直にスタックされ、且つ、それぞれが閉蔵位置と自由アクセス位置との間でスライド移動可能な複数の光ファイバトレイを含み、
各光ファイバトレイが、
通信フレームを経由するケーブルを接続するための光ファイバ接続箇所と、
第１の端で光ファイバトレイに連結され、且つ、第２の端で通信シャーシに連結されるケーブル管理部と、を含み、
ケーブル管理部が、光ファイバ接続箇所に向かうケーブルおよび光ファイバ接続箇所からのケーブルを管理するように構成され、
ケーブル管理部が、複数のリンクアームによって構成され、
複数のリンクアームが、リンクアームが互いに対して旋回してトレイの移動に対応してケーブル管理部が引っ込むおよび伸展するように、旋回可能に互いに接続し、
複数のリンクアームが、トレイの移動中にその管理するケーブルが所定値に比べて小さい曲率半径の円弧状に曲がらないように、互いに対して旋回するように構成され、
各リンクアームが、上壁、底壁、および対向し合う２つの側壁を備え、
各リンクアームが、その内部にケーブルを受け入れるための、少なくとも一方の側壁に沿う開口部と上壁に沿う開口部とを備え、
上壁に沿う開口部と少なくとも一方の側壁に沿う開口部とがつながり合い、
各トレイが、ギヤ機構を含むスライドアセンブリを介してシャーシに取り付けられており、
スライドアセンブリが、トレイの前後に移動するにつれて曲がるフレキシブルプリント回路基板を収容し、
フレキシブルプリント回路基板が、トレイの光ファイバ接続箇所からの情報をシャーシの他の部分に送信するように構成されている、光ファイバ通信デバイス。
【請求項３９】
フレキシブルプリント回路基板が、トレイの光ファイバ接続箇所からの情報をシャーシの中央プリント回路基板に送信し、
フレキシブルプリント回路基板から中央プリント回路基板までの接続が、スライドアセンブリ内に取り外し可能に取り付けられている取り外し可能マイクロプリント回路基板を介して行われている、請求項３８に記載の光ファイバ通信デバイス。
【請求項４０】
マイクロプリント回路基板が、特定のトレイを識別するための少なくとも１つの発光ダイオードを含んでいる、請求項３９に記載の光ファイバ通信デバイス。
【請求項４１】
複数の通信シャーシを取り付けるための通信ラックを有し、
通信シャーシが、
シャーシにスライド可能にそれぞれ取り付けられ、垂直にスタックされ、且つ、それぞれが閉蔵位置と自由アクセス位置との間でスライド移動可能な複数の光ファイバトレイを含み、
各光ファイバトレイが、
通信フレームを経由するケーブルを接続するための光ファイバ接続箇所と、
第１の端で光ファイバトレイに連結され、且つ、第２の端で通信シャーシに連結されるケーブル管理部と、を含み、
ケーブル管理部が、光ファイバ接続箇所に向かうケーブルおよび光ファイバ接続箇所からのケーブルを管理するように構成され、
ケーブル管理部が、複数のリンクアームによって構成され、
複数のリンクアームが、リンクアームが互いに対して旋回してトレイの移動に対応してケーブル管理部が引っ込むおよび伸展するように、旋回可能に互いに接続し、
複数のリンクアームが、トレイの移動中にその管理するケーブルが所定値に比べて小さい曲率半径の円弧状に曲がらないように、互いに対して旋回するように構成され、
各リンクアームが、上壁、底壁、および対向し合う２つの側壁を備え、
各リンクアームが、その内部にケーブルを受け入れるための、少なくとも一方の側壁に沿う開口部と上壁に沿う開口部とを備え、
上壁に沿う開口部と少なくとも一方の側壁に沿う開口部とがつながり合い、
各トレイが、ギヤ機構を含むスライドアセンブリを介してシャーシに取り付けられており、
スライドアセンブリが、トレイの前後に移動するにつれて曲がるフレキシブルプリント回路基板を収容し、
フレキシブルプリント回路基板が、トレイの光ファイバ接続箇所からの情報をシャーシの他の部分に送信するように構成されている、光ファイバ通信デバイス。
【請求項４２】
フレキシブルプリント回路基板が、トレイの光ファイバ接続箇所からの情報をシャーシの中央プリント回路基板に送信し、
フレキシブルプリント回路基板から中央プリント回路基板までの接続が、スライドアセンブリ内に取り外し可能に取り付けられている取り外し可能マイクロプリント回路基板を介して行われている、請求項４１に記載の光ファイバ通信デバイス。
【請求項４３】
マイクロプリント回路基板が、特定のトレイを識別するための少なくとも１つの発光ダイオードを含んでいる、請求項４２に記載の光ファイバ通信デバイス。